(57)【要約】【課題】支持部材に固定部材を用いて固定された回路基板を具え、該回路基板には、操作に基づく信号を発生する信号発生装置が搭載されている電子機器において、信号発生装置の部品点数を削減する。【解決手段】本発明に係る電子機器において、信号発生装置は、回路基板２の表面に配備されて固定部材３を介して互いに電気的に導通する一対の接点部材２２、２２と、回路基板２に配備されて一対の接点部材２２、２２の非導通状態にて信号を発生する信号発生回路５とを具えている。【選択図】図１
2012204222.tif 000002
【特許請求の範囲】
【請求項１】
支持部材に固定部材を用いて固定された回路基板を具え、該回路基板には、操作に基づく信号を発生する信号発生装置が搭載されている電子機器であって、
前記信号発生装置は、前記回路基板の表面に配備されて前記固定部材を介して互いに電気的に導通する一対の接点部材と、前記一対の接点部材の非導通状態にて前記信号を発生する信号発生回路とを具えていることを特徴とする電子機器。
【請求項２】
前記回路基板は、前記固定部材を含む複数の固定部材を用いて前記支持部材に固定されている請求項１に記載の電子機器。
【請求項３】
前記回路基板には、前記固定部材が貫通すべき孔が開設され、前記一対の接点部材は、前記孔を挟んで両側に配置され、前記固定部材が該回路基板の孔を貫通して前記支持部材に係合した状態で、該固定部材の頭部によって該一対の接点部材が互いに連結される請求項１又は請求項２に記載の電子機器。
【請求項４】
前記信号は、リセット端子に供給されるリセット信号である請求項１乃至請求項３の何れかに記載の電子機器。
【請求項５】
前記信号発生回路は、リセット端子に接続されるべきプルアップ抵抗と、該プルアップ抵抗に対して直列に接続された電源とを具え、リセット端子とプルアップ抵抗との連結点は、前記一対の接点部材を介して、グランドに接続されている請求項４に記載の電子機器。
【発明の詳細な説明】
【技術分野】
【０００１】
本発明は、デジタルカメラ等の電子機器に関し、より具体的には、操作に基づく信号を発生する信号発生装置に関するものである。
【背景技術】
【０００２】
従来、図２に示す如く、電子機器の制御回路(９)にはリセット端子(91)が設けられており、該リセット端子(91)には、リセット回路(93)が接続されている(特許文献１参照)。
具体的には、リセット端子(91)には、プルダウン抵抗Ｒ１が接続されると共に、タクトスイッチ(92)を介して電源Ｖccが接続されている。
【０００３】
機器の通常動作時には、タクトスイッチ(92)は開いており、これによってリセット端子(91)にはローの信号が入力されているが、例えば機器のメンテナンス時にタクトスイッチ(92)を閉じると、リセット端子(91)にはハイの信号が入力されて、制御回路(９)がリセットされることになる。
【先行技術文献】
【特許文献】
【０００４】
【特許文献１】特開平０１−１３６５３２号公報
【発明の概要】
【発明が解決しようとする課題】
【０００５】
しかしながら、従来のリセット回路においては、制御回路(９)を搭載した回路基板上にタクトスイッチ(92)を設ける必要があるため、部品点数の増大を招く問題があった。
そこで本発明の目的は、リセット信号等の信号を発生させるための信号発生装置を具えた電子機器において、信号発生装置の部品点数の削減を図ることである。
【課題を解決するための手段】
【０００６】
本発明に係る電子機器は、支持部材に固定部材を用いて固定された回路基板を具え、該回路基板には、操作に基づく信号を発生する信号発生装置が搭載されている。
【０００７】
ここで、前記信号発生装置は、前記回路基板の表面に配備されて前記固定部材を介して互いに電気的に導通する一対の接点部材と、前記回路基板に配備されて前記一対の接点部材の非導通状態にて前記信号を発生する信号発生回路とを具えている。
【０００８】
上記本発明の電子機器においては、支持部材に固定部材を用いて回路基板が固定されており、この状態で、回路基板上の一対の接点部材は、該固定部材を介して互いに導通している。従って、この状態では、信号発生装置は信号を発生しない。
【０００９】
例えば機器のメンテナンス時には、前記固定部材による固定を解除する。これによって、回路基板上の一対の接点部材は互いに非導通状態となるため、信号発生回路は、機器メンテナンスのための信号を発生する。
【００１０】
具体的態様において、前記回路基板は、前記固定部材を含む複数の固定部材を用いて前記支持部材に固定されている。
該具体的態様によれば、回路基板を支持部材に固定している複数の固定部材の内、特定の１本の固定部材による固定を解除することによって、前記信号が得られる。従って、残りの固定部材によって回路基板の固定を維持することが出来る。
【００１１】
又、具体的態様において、前記回路基板には、前記固定部材が貫通すべき孔が開設され、前記一対の接点部材は、前記孔を挟んで両側に配置され、前記固定部材が該回路基板の孔を貫通して前記支持部材に係合した状態で、該固定部材の頭部によって該一対の接点部材が互いに連結される。
【００１２】
又、他の具体的態様において、前記信号は、リセット端子に供給されるリセット信号である。
前記信号発生回路は、リセット端子に接続されるべきプルアップ抵抗と、該プルアップ抵抗に対して直列に接続された電源とを具え、リセット端子とプルアップ抵抗との連結点は、前記一対の接点部材を介して、グランドに接続されている。
【００１３】
該具体的態様によれば、例えば機器のメンテナンス時に、前記固定部材による固定を解除することによって、回路基板上の一対の接点部材が互いに非導通状態となり、この結果、信号発生回路はリセット信号を発生する。
【発明の効果】
【００１４】
本発明に係る電子機器によれば、支持部材に回路基板を固定するために用いられている固定部材を利用して、信号を発生させることが出来るので、従来のタクトスイッチを回路基板上に搭載する必要がなく、これによって部品点数の削減を図ることが出来る。
【図面の簡単な説明】
【００１５】
【図１】図１は、本発明の実施例であるリセット信号発生装置の構成を示す図である。
【図２】図２は、従来のリセット信号発生装置の構成を示す図である。
【図３】図３は、回路基板の構成を示す平面図である。
【図４】図４は、一対の接点部材の配置を拡大して示す平面図である。
【図５】図５は、ネジ部材をねじ込んだ状態における一対の接点部材の導通状態を示す断面図である。
【図６】図６は、同上の導通状態を示す平面図である。
【発明を実施するための形態】
【００１６】
以下、本発明をデジタルカメラ等の電子機器のリセット信号発生装置に実施した形態につき、図面に沿って具体的に説明する。
本発明に係る電子機器は、図１に示す如く、機器の動作を制御するマイクロコンピュータ等からなる制御回路(１)を具え、該制御回路(１)には、リセット端子(11)が設けられており、該リセット端子(11)には、リセット回路(５)が接続されている。
【００１７】
上記制御回路(１)及びリセット回路(５)は、図３に示す回路基板(２)の表面に実装されている(実装状態は図示省略)。
回路基板(２)は、図５に示す如く支持台(４)上に設置され、図３に示す如く四隅には４つの貫通孔(21)(24)(25)(26)が開設されており、これらの貫通孔(21)(24)(25)(26)を貫通する４本の金属製のネジ部材(３)(31)(32)(33)が、図５の如く支持台(４)にねじ込まれて、回路基板(２)が支持台(４)上に締結されている。
【００１８】
ここで、回路基板(２)の表面には、図３の如く特定の１本のネジ部材(３)が貫通すべき貫通孔(21)の両側に、一対の接点部材(22)(22)が導電体によって形成されており、両接点部材(22)(22)から両側へそれぞれ、帯状の導体パターン(23)が引き出されている。
【００１９】
リセット回路(５)は、図１に示す如く、制御回路(１)のリセット端子(11)に接続されるべきプルアップ抵抗Ｒ２と、該プルアップ抵抗Ｒ２に対して直列に接続された電源Ｖccとを具え、リセット端子(11)とプルアップ抵抗Ｒ２との連結点は、一対の接点部材(22)(22)を介して、グランドに接続されている。
【００２０】
図５及び図６に示す様に、ネジ部材(３)によって回路基板(２)が支持台(４)に締結された状態では、該ネジ部材(３)の頭部が一対の接点部材(22)(22)に圧接されて、該頭部によって一対の接点部材(22)(22)が互いに連結される。これによって２本の導体パターン(23)(23)が互いに導通状態となる。
【００２１】
この結果、図１に示すリセット回路(５)においては、リセット端子(11)とプルアップ抵抗Ｒ２との連結点が接地され、該連結点はグランド電位となる。これによって制御回路(１)のリセット端子(11)には、ローの信号が入力される。
制御回路(１)は、リセット端子(11)にローの信号が入力されているので、リセットはされず、通常動作の制御を実行する。
【００２２】
機器のメンテナンス時には、図３に示す４本のネジ部材(３)(31)(32)(33)の内、１本のネジ部材(３)を取り外す。これによって、図４に示す如く、一対の接点部材(22)(22)が切り離され、非導通状態となる。
１本のネジ部材(３)を取り外した状態においても、残りの３本のネジ部材(31)(32)(33)によって、回路基板(２)が支持台(４)上に締結された状態が維持される。
尚、本実施例では、接点部材(22)(22)と貫通孔(21)との間が開いているので、ネジ部材(３)を完全に取り外さなくても、ネジ部材(３)を緩めることによってネジ部材(３)の頭部と接点部材(22)(22)との接触が解除されると、非導通状態となる。
【００２３】
この結果、図１に示すリセット回路(５)においては、リセット端子(11)とプルアップ抵抗Ｒ２との連結点に対し、電源Ｖccからプルアップ抵抗Ｒ２を経て一定の電圧が印加され、これによって、制御回路(１)のリセット端子(11)には、ハイの信号(リセット信号)が入力される。
【００２４】
上記のリセット信号発生装置によれば、回路基板(２)を支持台(４)に締結する４本のネジ部材(３)(31)(32)(33)の内、特定の１本のネジ部材(３)を操作スイッチとして利用して、制御回路(１)のリセット端子(11)へ供給すべきリセット信号を発生させることが出来る。
従って、従来のタクトスイッチを回路基板(２)上に搭載する必要がなく、これによって部品点数の削減を図ることが出来、ひいては装置の小型化が可能となる。
【００２５】
又、上記のリセット信号発生装置によれば、特定の１本のネジ部材(３)がリセットのための部材であることは、一般ユーザには分からないため、ユーザによる無用なリセット操作を防止することが出来る。
【００２６】
尚、ネジ部材(３)のねじ込みや取り外しを行なうことによって接点部材(22)(22)はネジ部材(３)の頭部と擦れて摩耗するが、本実施例における接点部材(22)(22)は、導体パターン(23)(23)上に厚肉に形成しているので、多少摩耗しても信号発生回路としての機能を維持するという効果を奏する。しかしながら、接点部材(22)(22)を別途形成することなく、貫通孔(21)近傍に形成された導体パターン(23)(23)の端部を、接点部材(22)(22)として用いるようにしてもよい。
【００２７】
本発明の各部構成は上記実施の形態に限らず、特許請求の範囲に記載の技術的範囲内で種々の変形が可能である。例えば、本発明は、リセット信号発生装置に限らず、例えばメンテナンス時にサービスモードを設定するための信号を発生する装置に実施することも可能である。
又、操作信号等の信号を供給すべき回路は、デジタル回路に限らず、アナログ回路であってもよい。この場合、アナログ回路には、例えばコンデンサを放電させるための信号を供給することが出来る。
【００２８】
更に又、回路基板を支持部材に固定するための固定部材は、ネジ部材の如き締結部材に限らず、回路基板を支持部材に係止するフックや、支持部材と回路基板を挟持する挟持部材であってもよい。
【符号の説明】
【００２９】
(１)  制御回路
(２)  回路基板
(21)  貫通孔
(22)  接点部材
(23)  導体パターン
(３)  ネジ部材
(４)  支持台
(５)  リセット回路
【図１】
2012204222.tif 000003
【図２】
2012204222.tif 000004
【図３】
2012204222.tif 000005
【図４】
2012204222.tif 000006
【図５】
2012204222.tif 000007
【図６】
2012204222.tif 000008